(57)【要約】【課題】コンテンツと銘柄との対応付けが固定であると、表示したい銘柄の追加や削除があった場合に、コンテンツ修正や作成が煩雑であるという点についての配慮が十分ではなく、本発明は、コンテンツを修正することなく表示銘柄を変えることができ、コストを低減できる情報表示方法及び表示端末装置を提供する。【解決手段】各コンテンツの行毎に銘柄を指定する表示銘柄登録情報を記憶ディスク装置２２に登録しておき、受信した証券・金融情報をメモリ装置２４に記憶しておき、Ｗｅｂブラウザ２６が、コンテンツ表示の際に、画面識別と行とを指定して情報取得プログラム２５にデータを要求し、情報取得プログラム２５が、表示銘柄登録情報を参照して、蓄積データの中から該当する銘柄のデータをＷｅｂブラウザ２６に出力し、Ｗｅｂブラウザ２６が対応する行に銘柄データを埋め込んで表示する情報表示方法及び表示端末装置としている。【選択図】        図１
2004171267.tif 000002
【特許請求の範囲】
【請求項１】
Ｗｅｂブラウザ上で表示される画面を構成する複数のコンテンツを備え、情報ベンダから送信された証券・金融情報を受信して蓄積しておき、前記蓄積された証券・金融情報を前記コンテンツに組み込んで表示する表示端末装置における情報表示方法であって、
表示端末装置が、前記複数のコンテンツ毎に、前記コンテンツの識別情報と、前記証券・金融情報を表示する行の行番号とに対応付けて、前記行に表示する証券・金融情報の銘柄識別情報及びその表示項目を表示銘柄登録情報として記憶しておき、コンテンツを表示する際に、前記表示銘柄登録情報を参照して、前記コンテンツの識別情報及び行番号に対応して登録されている証券・金融情報の銘柄識別情報及びその表示項目を読み取って、前記蓄積された証券・金融情報の中から、前記銘柄識別情報及びその表示項目に対応する証券・金融情報のデータを読み取って、前記データを前記コンテンツにおける前記行に組み込んで表示することを特徴とする情報表示方法。
【請求項２】
Ｗｅｂブラウザ上で表示される画面を構成する複数のコンテンツを記憶する記憶手段と、情報ベンダから送信された証券・金融情報を受信する受信手段と、前記受信された証券・金融情報を蓄積する蓄積手段と、前記蓄積された証券・金融情報を前記コンテンツに組み込んで表示するＷｅｂブラウザと、前記Ｗｅｂブラウザからの指示に従って前記蓄積手段から特定の証券・金融情報を読み出して前記Ｗｅｂブラウザに出力する情報取得手段とを備えた表示端末装置であって、
ユーザの操作に基づいて、前記コンテンツ毎に、前記コンテンツの識別情報と前記証券・金融情報を表示する行番号とに対応付けて、前記行に表示する証券・金融情報の銘柄識別情報及びその表示項目を表示銘柄登録情報として登録する登録手段を備え、
前記コンテンツが、前記コンテンツの行毎に証券・金融情報を取得して表示するデータ表示オブジェクトを備えたコンテンツであり、
前記記憶手段が、前記表示銘柄登録情報を記憶する記憶手段であり、
前記Ｗｅｂブラウザがコンテンツを表示する際に、前記コンテンツの各行に対応するデータ表示オブジェクトを用いて、コンテンツの識別情報と行番号とを含むパラメータを前記情報取得手段に出力すると共に、前記情報取得手段から入力されたデータを、前記データ表示オブジェクトを用いて、前記コンテンツの対応する行に組み込んで表示するＷｅｂブラウザであり、
前記情報取得手段が、前記Ｗｅｂブラウザからパラメータを入力すると、前記表示銘柄登録情報を参照して、前記パラメータに含まれるコンテンツの識別情報及び行番号に対応する銘柄識別情報及び表示項目を特定し、前記特定された銘柄識別情報及び表示項目に対応するデータを前記蓄積手段から読み取って、前記Ｗｅｂブラウザに出力する情報取得手段であることを特徴とする表示端末装置。
【発明の詳細な説明】
【０００１】
【発明の属する技術分野】
本発明は、表示にＷＥＢブラウザを使用して金融・証券情報を表示する情報表示方法及び表示端末装置に係り、特に表示コンテンツに変更を加えずに、ユーザの指定により表示銘柄を変更することができる情報表示方法及び表示端末装置に関する。
【０００２】
【従来の技術】
証券・金融情報を表示する際には、情報ベンダのＷｅｂサーバから送信された証券・金融情報を、Ｗｅｂブラウザを備えた端末装置において受信して、表示することが行われている。従来の情報表示方法としては、配信側のＷｅｂサーバにおいて、表示するデータをＨＴＭＬ文書から成るコンテンツに埋め込んで配信し、受信側の端末装置では受信したコンテンツをそのまま表示したり、編集して表示する方法があった。
【０００３】
従来の情報表示に関する技術としては、固定銘柄の市場情報だけでなく統計情報を表示可能としたもの（特許文献１参照）や、銘柄の一覧表示の中から所望の１つの銘柄の全項目データを一画面に短時間で表示させるもの（特許文献２参照）があった。また、表示画面データに対応するタイトルデータの一覧を目次画面として表示し、選択されたタイトルに対応する表示画面データを表示するもの（特許文献３参照）や、相場情報とそれに関連する情報を同一画面に表示するもの（特許文献４参照）があった。また、所望の一覧画面を迅速に表示するための一覧画面の表示処理方法（特許文献５参照）や、表示された複数のコンテンツの中から所望のコンテンツを選択する場合のコンテンツ表示・選択方法（特許文献６参照）がある。
【０００４】
【特許文献１】
特開平５−２８２３２４号公報
【特許文献２】
特開平６−１１０８９３号公報
【特許文献３】
特開平９−１２７９２１号公報
【特許文献４】
特開平１１−１８４９０９号公報
【特許文献５】
特開平８−２１２０３８号公報
【特許文献６】
特開平１１−３９１２０号公報
【０００５】
【発明が解決しようとする課題】
また、従来の情報表示方法としては、配信側の設備としてＷｅｂ形式のシステムがなく、既存のホストコンピュータを用いて、専用プロトコルによって専用回線を介して証券・金融情報を配信するものもあった。この場合、端末装置では専用回線を介してデータを受信し、蓄積しておき、予め内部に記憶しておいた表示画面のデータ（コンテンツ）と、受信したデータとを組み合わせて画面を表示することが考えられる。
【０００６】
このように、端末装置でコンテンツを備えている場合には、コンテンツ毎に銘柄が固定されていることがあり、コンテンツと銘柄とが予め対応付けられていると、表示したい銘柄の追加や削除があった場合には、その都度、コンテンツを修正したり、銘柄数に応じて多数のコンテンツを準備しておく必要があり、コンテンツ修正や作成のためのコストと時間がかかってしまうということについての配慮が十分ではなかった。
【０００７】
本発明は上記実情に鑑みて為されたもので、コンテンツを変更することなくユーザの希望に合わせて随時表示銘柄を変更することができ、コンテンツ作成や修正のコストと時間を低減し、利便性を向上させることができる情報表示方法及び表示端末装置を提供することを目的とする。
【０００８】
【課題を解決するための手段】
上記従来例の問題点を解決するための本発明は、Ｗｅｂブラウザ上で表示される画面を構成する複数のコンテンツを備え、情報ベンダから送信された証券・金融情報を受信して蓄積しておき、蓄積された証券・金融情報を前記コンテンツに組み込んで表示する情報表示方法及び表示端末装置であって、複数のコンテンツ毎に、コンテンツの識別情報と、証券・金融情報を表示する行の行番号とに対応付けて、行に表示する証券・金融情報の銘柄識別情報及びその表示項目を表示銘柄登録情報として記憶しておき、コンテンツを表示する際に、表示銘柄登録情報を参照して、コンテンツの識別情報及び行番号に対応して登録されている証券・金融情報の銘柄識別情報及びその表示項目を読み取って、蓄積された証券・金融情報の中から、銘柄識別情報及びその表示項目に対応する証券・金融情報のデータを読み取って、データを当該コンテンツにおける当該行に組み込んで表示する情報表示方法及び表示端末装置としており、コンテンツと各行に表示する証券・金融情報の銘柄との対応付けを任意に変更可能とすることで、コンテンツを変更しなくてもユーザの指定により表示銘柄を変えることができ、コンテンツ作成や修正のコストと時間を低減し、利便性を向上させることができる。
【０００９】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１０】
本発明に係る情報表示方法及び表示端末装置は、ユーザが各コンテンツの行毎に表示したい銘柄を予め選択して登録しておき、表示端末装置が、情報ベンダから配信された情報を受信して蓄積しておき、任意のコンテンツを表示する際に、蓄積された情報の中から当該コンテンツに対応して登録されている銘柄の情報を読み出してコンテンツに組み込んで表示する表示端末装置における情報表示方法及び表示端末装置であり、コンテンツを変更することなくユーザが表示銘柄を任意に選択することができ、コンテンツ修正や作成を不要としてコストを低減し、利便性を向上させることができるものである。
【００１１】
本発明の実施の形態に係る表示端末装置（本装置）を含む情報表示システムについて図１を用いて説明する。図１は、本発明の実施の形態に係る表示端末装置の構成及び情報表示方法を示すブロック説明図である。
図１に示すように、本表示端末装置２は、証券・金融情報を提供する情報ベンダ３にデータ回線を介して接続され、情報ベンダ３からの情報をユーザ１によって登録されたデータに基づいて予め記憶されているコンテンツに組み込んでＷｅｂブラウザ上で表示するものである。
【００１２】
情報ベンダ３は、発生する証券・金融情報を証券・金融データとして複数の表示端末装置２に配信するホストコンピュータを備え、ホストコンピュータから、専用回線等のデータ回線を介して画面形式を含まない証券・金融データを配信するものである。
【００１３】
次に、表示端末装置２の各部の構成について説明する。
図１に示すように、本発明の実施の形態に係る表示端末装置（本装置）の表示処理に関する動作を行う部分は、表示銘柄選択プログラム２１と、記憶ディスク装置２２と、Ｗｅｂブラウザ２６と、情報受信／蓄積プログラム２３と、メモリ装置２４と、記憶されたデータの中から登録された銘柄の情報を取り出してＷｅｂブラウザ２６に出力する情報取得プログラム２５とから構成されている。
尚、表示銘柄選択プログラム２１は、請求項２における登録手段に相当し、記憶ディスク装置２２は記憶手段に相当し、情報受信／蓄積プログラム２３は蓄積手段に相当し、情報取得プログラム２５は情報取得手段に相当している。
【００１４】
表示銘柄選択プログラム２１は、ユーザ１が入力部（図示せず）から入力した、各コンテンツに表示させたい銘柄（表示銘柄）を登録するものであり、表示銘柄の登録画面を備えている。そして、入力部から表示銘柄登録の指示が入力された場合に、登録画面を表示部（図示せず）に表示して、入力に従って銘柄の登録を受け付け、登録された銘柄の情報を記憶ディスク装置２２に記憶するものである。本方法の特徴として、表示銘柄は、コンテンツ毎に登録可能としている。
【００１５】
記憶ディスク装置２２は、本装置の特徴として、表示銘柄選択プログラム２１によって登録された銘柄の情報とコンテンツの識別情報とを対応付けてを表示銘柄登録情報として記憶するものである。
また、記憶ディスク装置２２は、従来と同様に情報ベンダ３からの証券・金融データと組み合わせて表示される表示画面の情報として、複数のコンテンツを記憶しているものである。コンテンツの内容としては、例えば「今週の注目銘柄」といったものが考えられ、各コンテンツには、画面のタイトルや表示枠等、予め決められている固定の表示データの他に、受信して蓄積された証券データや金融データを埋め込んで表示する複数の行（表示可能行）が設けられている。
【００１６】
また、Ｗｅｂブラウザ２６は、予め設定されたスケジュールに従ってコンテンツと蓄積された証券・金融データとを組み合わせて表示画面データを作成し、表示部（図示せず）に出力するものである。具体的に説明すると、各コンテンツには、データを表示する行毎に、表示すべきデータを取り込んで表示するデータ表示オブジェクト（ＡＰＰＬＥＴ等のプログラムやスクリプト）が予め設けられており、Ｗｅｂブラウザ２６は、スケジュールに基づいて、コンテンツを記憶ディスク装置２２から読み出し、データ表示オブジェクトを起動するものである。
【００１７】
そして、データ表示オブジェクトは、予めコンテンツに組み込まれており、起動されると、情報取得プログラム２５に画面識別と行Ｎｏ．とを含むパラメータを出力して、表示すべき銘柄データを要求して、情報取得プログラム２５から銘柄データを取得し、当該コンテンツの特定の行に、情報取得プログラム２５から入力された銘柄データを埋め込んで、表示画面に出力するものである。
【００１８】
情報受信／蓄積プログラム２３は、情報ベンダ３から専用線等のデータ回線を介して送信された証券・金融データを受信して、メモリ装置２４に記憶するものである。また、情報受信／蓄積プログラム２３は、起動時に、記憶ディスク装置２２に記憶されている表示銘柄登録情報を読み込んで、メモリ装置２４に展開するものである。
【００１９】
メモリ装置２４は、受信した証券・金融情報のデータを蓄積データとして記憶するものであり、また、情報受信／蓄積プログラム２３によって設定された表示銘柄登録情報を参照可能な状態に保持しておくものである。
【００２０】
また、情報取得プログラム２５は、Ｗｅｂブラウザ２６からの指示に応じて、メモリ装置２４に記憶されている表示銘柄登録情報を参照して、蓄積データの中から特定の銘柄のデータを読み出してＷｅｂブラウザ２６に出力するものである。情報取得プログラム２５の具体的な処理については後で詳細に説明する。
【００２１】
次に、記憶ディスク装置２２に記憶されている表示銘柄登録情報について図２を用いて説明する。図２は、記憶ディスク装置２２に記憶されている表示銘柄登録情報の説明図である。
図２に示すように、表示銘柄登録情報は、画面識別と、行Ｎｏ．に対応して、表示対象銘柄識別ＩＤと、表示データ項目とを記憶しているものである。
具体的に説明すると、「画面識別」は、コンテンツの識別番号であり、ここでは分かり易くするため「画面Ａ」や「画面Ｂ」といった識別名にしている。「行Ｎｏ．」は、各コンテンツの、表示可能行の各行を識別するための行番号である。
【００２２】
そして、本方法では、各コンテンツの行毎に、表示銘柄選択プログラム２１によって登録された銘柄及び表示すべき表示項目を記憶しているものである。図２の例では、「画面Ａ」の１行目（行１）には、「銘柄３」の「銘柄名、現在値、前日比、出来高」を表示し、２行目には「銘柄５」を表示するように登録されており、「画面Ｂ」の１行目には「銘柄１」の「銘柄名、現在値、前日比、出来高」を、２行目には「銘柄２」を表示するように登録されているものである。
【００２３】
そして、本方法では、これにより、画面情報を含まない証券・金融データと、表示端末装置２内部に保持しているコンテンツと組み合わせて表示する際に、コンテンツと銘柄の対応を随時可変とするものであり、ユーザが予め自由に登録しておいた銘柄のデータでコンテンツを表示するようにしているものである。
【００２４】
次に、メモリ装置２４に記憶されている蓄積データについて図３を用いて説明する。図３は、メモリ装置２４に記憶されている蓄積データの説明図である。
図３に示すように、蓄積データは、銘柄毎に、銘柄識別ＩＤと、銘柄名と、蓄積データ項目と各項目に対応するデータとを記憶しているものである。そして、情報受信／蓄積プログラム２３が情報ベンダ３から配信された証券・金融情報を受信した場合には、対応する銘柄の蓄積データを新しいデータで更新するようになっている。
【００２５】
次に、本表示端末装置における情報表示方法について図１を用いて説明する。
ユーザ１が、入力部（図示せず）から表示銘柄登録の指示を入力すると、表示銘柄選択プログラム２１は、登録画面を表示部（図示せず）に出力し、まず、画面（コンテンツ）を指定するデータが入力されると、入力に従って、記憶ディスク装置２２から、当該画面に対応して登録されている表示銘柄登録情報（図２参照）を読み出して表示する。
【００２６】
そして、ユーザが、任意の行について、登録されている銘柄を変更したり、削除したり、新たに銘柄を追加するといった登録作業を行うと（１）、表示銘柄選択プログラム２１は、入力に従って、記憶ディスク装置２２の表示銘柄登録情報にデータを書き込んで登録する（２）。
【００２７】
一方、表示端末装置２の起動時には、情報受信／蓄積プログラム２３が、記憶ディスク装置２２に記憶されている表示銘柄登録情報を読み出して（３）、メモリ装置２４に登録情報を展開（設定）しておく（４）。
【００２８】
そして、情報受信／蓄積プログラム２３が、データ回線を介して情報ベンダ３からの証券・金融データを受信すると（５）、情報受信／蓄積プログラム２３は、受信データをメモリ装置２４の蓄積データに蓄積する（６）。
【００２９】
そして、Ｗｅｂブラウザ２６は、予め設定されているスケジュールに従って、記憶ディスク装置２２から対応するコンテンツを読み出して表示し（７）、コンテンツに埋め込まれているデータ表示オブジェクトを起動する。
【００３０】
各データ表示オブジェクトは、画面と行を指定するパラメータを有し、当該パラメータを付して情報取得プログラム２５に表示データを要求する（８）。
情報取得プログラム２５は、データ表示オブジェクトから入力されたパラメータに従ってメモリ装置２４の表示銘柄登録情報を参照し、パラメータにて指定された画面及び行に対応して登録されている銘柄識別ＩＤ（表示対象銘柄識別ＩＤ）を特定して、メモリ装置２４に記憶されている蓄積データ（図３参照）から当該銘柄識別ＩＤのデータを読み出して、要求元のデータ表示オブジェクトに銘柄データを出力し、データ表示オブジェクトは表示データを取得する（１１）。
【００３１】
そして、データ表示オブジェクトが表示されたコンテンツの対応する行に、読み込んだ銘柄データの特定の表示項目のデータを埋め込んで表示する。このようにして本発明の実施の形態に係る情報表示方法が行われるものである。
【００３２】
本発明の実施の形態に係る情報表示方法（本方法）及び表示端末装置（本装置）によれば、表示銘柄選択プログラム２１が、ユーザの指示に従ってコンテンツの画面識別毎に表示すべき行と銘柄と表示項目とを指定する表示銘柄登録情報を記憶ディスク装置２２に登録しておき、情報受信／蓄積プログラム２３が、表示銘柄登録情報を読み出してメモリ装置２４に展開しておくと共に、情報ベンダ３から配信された証券・金融情報をメモリ装置２４に蓄積データとして記憶しておき、Ｗｅｂブラウザ２６が、記憶ディスク装置２２から対応するコンテンツのデータを読み取って表示し、コンテンツに含まれるデータ表示オブジェクトが、画面識別と行とを指定するパラメータを付して情報取得プログラム２５にデータを要求すると、情報取得プログラム２５が、パラメータに従って表示銘柄登録情報を参照して当該画面と行とで指定される銘柄識別ＩＤを読み取り、メモリ装置メモリ装置２４に蓄積された蓄積データの中から該当する銘柄の該当する項目のデータを読み取ってデータ表示オブジェクトに出力し、データ表示オブジェクトが指定された行に銘柄データを埋め込んで表示するようにしているので、ユーザは、コンテンツそのものを変更しなくても、表示銘柄登録情報を変更することで、コンテンツ毎に表示する銘柄を自由に追加・削除したり、表示項目を変更することができ、コンテンツ修正等に要するコストや時間を省き、利便性を向上させることができる効果がある。
【００３３】
また、本方法及び本装置によれば、証券・金融情報の配信側にコンテンツの編集可能なＷｅｂサーバを構築しなくても、既存の情報配信サーバを用いて表示端末装置のＷｅｂブラウザで表示することができ、システム構築のコストを低減できる効果がある。
【００３４】
【発明の効果】
本発明によれば、Ｗｅｂブラウザ上で表示される画面を構成する複数のコンテンツを備え、情報ベンダから送信された証券・金融情報を受信して蓄積しておき、蓄積された証券・金融情報を前記コンテンツに組み込んで表示する情報表示方法及び表示端末装置であって、複数のコンテンツ毎に、コンテンツの識別情報と、証券・金融情報を表示する行の行番号とに対応付けて、行に表示する証券・金融情報の銘柄識別情報及びその表示項目を表示銘柄登録情報として記憶しておき、コンテンツを表示する際に、表示銘柄登録情報を参照して、コンテンツの識別情報及び行番号に対応して登録されている証券・金融情報の銘柄識別情報及びその表示項目を読み取って、蓄積された証券・金融情報の中から、銘柄識別情報及びその表示項目に対応する証券・金融情報のデータを読み取って、データを当該コンテンツにおける当該行に組み込んで表示する情報表示方法及び表示端末装置としており、コンテンツと各行に表示する証券・金融情報の銘柄との対応付けを任意に変更可能とすることで、コンテンツを変更しなくてもユーザの指定により表示銘柄を変えることができ、コンテンツ作成や修正のコストと時間を低減し、利便性を向上させることができる効果がある。
【図面の簡単な説明】
【図１】本発明の実施の形態に係る表示端末装置の構成及び情報表示方法を示すブロック説明図である。
【図２】記憶ディスク装置２２に記憶されている表示銘柄登録情報の説明図である。
【図３】メモリ装置２４に記憶されている蓄積データの説明図である。
【符号の説明】
１…ユーザ、  ２…表示端末装置、  ３…情報ベンダ、  ２１…表示銘柄選択プログラム、  ２２…記憶ディスク装置、  ２３…情報受信／蓄積プログラム、２４…メモリ装置、  ２５…情報取得プログラム、  ２６…Ｗｅｂブラウザ
【図１】
2004171267.tif 000003
【図２】
2004171267.tif 000004
【図３】
2004171267.tif 000005